【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
ディスク上にトラックを形成するためのグルーブがスパイラル状に形成されており、
上記グルーブのウォブリングによってアドレス情報が記録されると共に、当該グルーブによって形成されるトラックが記録マークの記録再生に用いられる記録再生領域と、
上記グルーブのウォブリングによってプリレコーデッド情報が記録される再生専用領域と、
を有し、
上記記録再生領域に記録マークで記録されるデータは、先頭に配置されフレーム同期信号と、ロングディスタンスコードでエラー訂正符号化されたユーザデータと、該ユーザデータの所定データ量ごとに挿入されるバーストエラー検出コードとからなる所定数の単位から構成される
ディスク記録媒体。
【請求項２】
上記記録再生領域に記録マークで記録されるデータの単位は、４つの上記ユーザデータの間に３つのバーストエラー検出コードが挿入されて構成される請求項１に記載のディスク記録媒体。
【請求項３】
上記ユーザデータは３８バイトのデータ量から構成されている請求項１に記載のディスク記録媒体。
【請求項４】
ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されフレーム同期信号と、ロングディスタンスコードでエラー訂正符号化されたユーザデータと、該ユーザデータの所定データ量ごとに挿入されるバーストエラー検出コードとからなる所定数の単位から構成されるディスク記録媒体に対して、データの記録又は再生を行うディスクドライブ装置であって、
上記トラックに対してレーザ照射を行い反射光信号を得るヘッド手段と、
上記反射光信号からトラックのウォブリングに係る信号を抽出するウォブリング抽出手段と、
上記反射光信号から記録マーク情報に係る信号を抽出する記録マーク抽出手段と、
上記記録再生領域の再生時において、上記ウォブリング抽出手段によって抽出された上記ウォブリングに係る信号についてＭＳＫ復調を行い、上記アドレス情報をデコードするアドレスデコード手段と、
上記記録再生領域の再生時において、上記記録マーク抽出手段によって抽出された上記記録マークに係る信号についてデコード処理を行い、記録マークとして記録された情報を得る相変化マークデコード手段と、
上記再生専用領域の再生時において、上記ウォブリング抽出手段によって抽出された上記ウォブリングに係る信号についてデコードを行い、上記プリレコーデッド情報を得るプリレコーデッド情報デコード手段と、
を備えたディスクドライブ装置。
【請求項５】
ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されフレーム同期信号と、ロングディスタンスコードでエラー訂正符号化されたユーザデータと、該ユーザデータの所定データ量ごとに挿入されるバーストエラー検出コードとからなる所定数の単位から構成されるディスク記録媒体に対する再生方法として、
上記記録再生領域の再生時には、
トラックに対してレーザ照射を行った際の反射光信号から、トラックのウォブリングに係る信号、及び記録マークに係る信号を抽出し、抽出された上記ウォブリングに係る信号についてＭＳＫ復調を行って上記アドレス情報をデコードするとともに、抽出された上記記録マークに係る信号についてデコード処理を行って記録マークとして記録された情報を得、
上記再生専用領域の再生時には、
トラックに対してレーザ照射を行った際の反射光信号から、トラックのウォブリングに係る信号を抽出し、抽出された上記ウォブリングに係る信号についてデコードを行い、上記プリレコーデッド情報を得る
再生方法。
【手続補正２】
【補正対象書類名】明細書
【補正対象項目名】発明の名称
【補正方法】変更
【補正の内容】
【発明の名称】ディスク記録媒体、ディスクドライブ装置、再生方法
【手続補正３】
【補正対象書類名】明細書
【補正対象項目名】００１０
【補正方法】変更
【補正の内容】
【００１０】
このために本発明のディスク記録媒体は、ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されフレーム同期信号と、ロングディスタンスコードでエラー訂正符号化されたユーザデータと、該ユーザデータの所定データ量ごとに挿入されるバーストエラー検出コードとからなる所定数の単位から構成される。
上記記録再生領域に記録マークで記録されるデータの単位は、４つの上記ユーザデータの間に３つのバーストエラー検出コードが挿入されて構成される。
上記ユーザデータは、３８バイトのデータ量から構成される。
【手続補正４】
【補正対象書類名】明細書
【補正対象項目名】００１１
【補正方法】変更
【補正の内容】
【００１１】
本発明のディスクドライブ装置は、ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されフレーム同期信号と、ロングディスタンスコードでエラー訂正符号化されたユーザデータと、該ユーザデータの所定データ量ごとに挿入されるバーストエラー検出コードとからなる所定数の単位から構成されるディスク記録媒体に対して、データの記録又は再生を行うディスクドライブ装置であって、上記トラックに対してレーザ照射を行い反射光信号を得るヘッド手段と、上記反射光信号からトラックのウォブリングに係る信号を抽出するウォブリング抽出手段と、上記反射光信号から記録マーク情報に係る信号を抽出する記録マーク抽出手段と、上記記録再生領域の再生時において、上記ウォブリング抽出手段によって抽出された上記ウォブリングに係る信号についてＭＳＫ復調を行い、上記アドレス情報をデコードするアドレスデコード手段と、上記記録再生領域の再生時において、上記記録マーク抽出手段によって抽出された上記記録マークに係る信号についてデコード処理を行い、記録マークとして記録された情報を得る相変化マークデコード手段と、上記再生専用領域の再生時において、上記ウォブリング抽出手段によって抽出された上記ウォブリングに係る信号についてデコードを行い、上記プリレコーデッド情報を得るプリレコーデッド情報デコード手段と、を備える。
【手続補正５】
【補正対象書類名】明細書
【補正対象項目名】００１２
【補正方法】変更
【補正の内容】
【００１２】
本発明の再生方法は、ディスク上にトラックを形成するためのグルーブがスパイラル状に形成されており、上記グルーブのウォブリングによってアドレス情報が記録されると共に、当該グルーブによって形成されるトラックが記録マークの記録再生に用いられる記録再生領域と、上記グルーブのウォブリングによってプリレコーデッド情報が記録される再生専用領域と、を有し、上記記録再生領域に記録マークで記録されるデータは、先頭に配置されフレーム同期信号と、ロングディスタンスコードでエラー訂正符号化されたユーザデータと、該ユーザデータの所定データ量ごとに挿入されるバーストエラー検出コードとからなる所定数の単位から構成されるディスク記録媒体に対する再生方法として、上記記録再生領域の再生時には、トラックに対してレーザ照射を行った際の反射光信号から、トラックのウォブリングに係る信号、及び記録マークに係る信号を抽出し、抽出された上記ウォブリングに係る信号についてＭＳＫ復調を行って上記アドレス情報をデコードするとともに、抽出された上記記録マークに係る信号についてデコード処理を行って記録マークとして記録された情報を得、上記再生専用領域の再生時には、トラックに対してレーザ照射を行った際の反射光信号から、トラックのウォブリングに係る信号を抽出し、抽出された上記ウォブリングに係る信号についてデコードを行い、上記プリレコーデッド情報を得る。
【手続補正６】
【補正対象書類名】明細書
【補正対象項目名】００１３
【補正方法】削除
【補正の内容】